(57)【要約】【課題】浴室内を殺菌するためにオゾン水を浴室内に噴霧して殺菌しる場合に、浴室内に人がいる場合に、不注意で殺菌を開始すると、浴室内にいる人にオゾン水が噴霧されることになり、そのような状態は好ましくない。オゾン水の濃度を低くしておけば、浴室内に人がいる状態で誤って殺菌が開始されても、人体への影響を低減させることはできるが、それでは浴室内の殺菌力が低下し、殺菌効果を発揮することができない。そのため、人体に影響が出る程度の濃度のオゾン水を浴室内に噴霧する必要がある。【解決手段】オゾンが溶解されたオゾン水とオゾンが溶解されていない真水と浴室内の天井に設けたノズルから交互に噴霧するようにした。【選択図】  図１
2020048858.tif 000002
【特許請求の範囲】
【請求項１】
浴室内にノズルからオゾン水を噴霧して浴室内を殺菌する浴室殺菌装置であって、オゾンが溶解されたオゾン水とオゾンが溶解されていない真水と上記ノズルから交互に噴霧することを特徴とする浴室殺菌装置。
【請求項２】
上記オゾン水と真水とが上記ノズルから交互に噴霧されている状態から、オゾン水のみを連続して噴霧する連続モードに切り替え可能であることを特徴とする請求項１に記載の浴室殺菌装置。
【請求項３】
上記オゾン水に溶解されるオゾンの濃度を切り替え可能であることを特徴とする請求項１または請求項２に記載の浴室殺菌装置。
【請求項４】
上記浴室には換気扇が取り付けられており、上記オゾン水による浴室内の殺菌が終了すると、この換気扇を強制的に作動させることを特徴とする請求項１から請求項３のいずれかに記載の浴室殺菌装置。
【請求項５】
強制停止スイッチを備え、この強制停止スイッチが押し操作されると、上記オゾン水の噴霧を停止すると共に、上記換気扇を強制的に作動させることを特徴とする請求項４に記載の浴室殺菌装置。
【発明の詳細な説明】
【技術分野】
【０００１】
本発明は、浴室内にオゾンが溶解されたオゾン水を噴霧することによって浴室内を殺菌する浴室殺菌装置に関する。
【背景技術】
【０００２】
浴室内は湿度が高く、また石鹸滓などの有機物が壁面に付着する場合が多いため、カビや雑菌などが繁殖しやすい。そのため、壁面などは頻繁に除菌および清掃をしなければカビなどが繁殖しやすい。
【０００３】
一方、オゾンを溶解したオゾン水は殺菌力が高いことが知られており、空気の殺菌を行うことを目的にオゾン水を使用することが知られている（例えば、特許文献１参照）。このことから、浴室内にオゾン水をノズルから噴霧し、浴室内の壁面や浴室内の空気を噴霧したオゾン水によって殺菌しカビや雑菌の繁殖を抑制することが考えられる。
【先行技術文献】
【特許文献】
【０００４】
【特許文献１】特開２００２-２８２３４６号公報（請求項１）
【発明の概要】
【発明が解決しようとする課題】
【０００５】
上記オゾン水による殺菌では、オゾン水を噴霧した後にオゾン水の毒性が残留することが少なく、浴室の殺菌にオゾン水を用いることは好ましい。ただし、オゾン水そのものが人体に直接噴霧されることは好ましくないので、浴室内にオゾン水を噴霧する浴室殺菌装置の始動スイッチは浴室外に設ける必要がある。ところが、浴室外に始動スイッチを設けると、浴室内に人がいる場合に、不注意で始動スイッチを押してしまうことが考えられる。すると、浴室内にいる人にオゾン水が噴霧されることになり、そのような状態は上述のように好ましくない。
【０００６】
なお、オゾン水の濃度を低くしておけば、浴室内に人がいる状態で誤って始動スイッチが押されても、人体への影響を低減させることはできるが、それでは浴室内の殺菌力が低下し、殺菌効果を発揮することができない。そのため、人体に影響が出る程度の濃度のオゾン水を浴室内に噴霧する必要がある。
【０００７】
そこで本発明は、上記の問題点に鑑み、浴室内の殺菌効果を維持しつつ、浴室内に人がいる状態で誤って始動スイッチが押されても、人体に対する影響を可及的に低くすることのできる浴室殺菌装置を提供することを課題とする。
【課題を解決するための手段】
【０００８】
上記課題を解決するために本発明による浴室殺菌装置は、浴室内にノズルからオゾン水を噴霧して浴室内を殺菌する浴室殺菌装置であって、オゾンが溶解されたオゾン水とオゾンが溶解されていない真水と上記ノズルから交互に噴霧することを特徴とする。
【０００９】
浴室内に対する殺菌効果が発揮できる濃度のオゾン水を連続して噴霧すると、誤って浴室内に人がいた場合に、その濃度のオゾン水が人体に噴霧されることになる。ただし、オゾン水が人体に噴霧されても、その後に真水をノズルから噴霧して人体に噴霧されたオゾン水を洗い流すことによって、人体に対する影響を可及的に抑制することができる。
【００１０】
なお、浴室内に人がいなければ、真水を噴霧する必要がないので、上記オゾン水と真水とが上記ノズルから交互に噴霧されている状態から、オゾン水のみを連続して噴霧する連続モードに切り替え可能に構成することが望ましい。
【００１１】
また、特に、オゾン水を連続して噴霧して殺菌する場合などには、さらに殺菌効果を高めるため、オゾン水のオゾン濃度を高める要望が生じる場合がある。このような場合に、上記オゾン水に溶解されるオゾンの濃度を切り替え可能にすることが望ましい。
【００１２】
オゾン水による殺菌が終了すると、噴霧されたオゾン水は排水口から浴室外へと排水される。ただし、オゾン水から遊離したオゾンガスは浴室内に停留することになる。そこで、上記浴室には換気扇が取り付けられており、上記オゾン水による浴室内の殺菌が終了すると、この換気扇を強制的に作動させることが望ましい。
【００１３】
さらに、浴室内に人がいる状態で誤ってオゾン水の噴霧を開始した場合に備えて、強制停止スイッチを備え、この強制停止スイッチが押し操作されると、上記オゾン水の噴霧を停止すると共に、上記換気扇を強制的に作動させることが望ましい。
【発明の効果】
【００１４】
以上の説明から明らかなように、本発明は、殺菌効果のある濃度のオゾン水を浴室内に噴霧することによって、浴室内に対する殺菌効果を確保すると共に、オゾン水が噴霧された時点で誤って浴室内に人がいた場合に、人体に噴霧されたオゾン水を真水で洗い流すことによって、人体に対するオゾン水の影響を可及的に抑制することができる。
【図面の簡単な説明】
【００１５】
【図１】本発明の一実施の形態の構成を示す図
【図２】台所リモコンの一例を示す図
【図３】浴室殺菌の処理を示すフロー図
【図４】ノズルの機構の一例を示す断面図
【発明を実施するための形態】
【００１６】
図１を参照して、１は浴室であり、壁面に浴室リモコン１１を備えている。また、天井には、換気扇２が設けられており、この換気扇２が作動すると、浴室１内の空気が排気ダクト２１を通って外部に排気されるように構成されている。さらに、天井面には水道管５から供給される真水とオゾン水生成装置６から供給されるオゾン水とを浴室１内に噴霧するノズル３が設けられている。
【００１７】
このノズル３には電磁式の切換弁４が接続されている。この切換弁４は閉弁機能を備えており、さらに、上記水道管５からの真水とオゾン水生成装置６からのオゾン水とを択一的にノズル３に供給するように切り換えることができる。
【００１８】
オゾン水生成装置６内には２個のオゾンガス発生部６１，６２を備えており、通常はオゾンガス発生部６１が作動し、外部からの信号により、オゾンガス発生部６２が作動して、両方のオゾンガス発生部６１，６２が同時に作動するように構成されている。両方のオゾンガス発生部６１，６２で発生したオゾンガスは気液混合部６３に送られる。この気液混合部６３には上記水道管５から分岐された分岐管５１が接続されており、水道管５から分岐管５１を通って供給される真水にオゾンガスを溶解させ、吐出管６４を通って上記切換弁４に供給される。
【００１９】
図２を参照して、７は浴室１以外の場所、例えば台所に設置されるリモコンである。本実施の形態では、台所に設ける台所リモコンを示している。この台所リモコン７には、図示しない給湯装置の制御を行うための各種スイッチのほかに、浴室１内を殺菌するための各種のスイッチが設けられている。それら殺菌のためのスイッチとして、殺菌を開始するための殺菌スイッチ７１が設けられている。この殺菌スイッチ７１を押し操作すると、上記ノズル３から真水とオゾン水とが交互に噴霧される。また、連続殺菌スイッチ７２が設けられており、殺菌スイッチ７１が押し操作され、殺菌が開始されている状態、すなわち、ノズル３から真水とオゾン水とが交互に噴霧している状態で、この連続殺菌スイッチ７２が押し操作されると、上記切換弁４がオゾン水をノズル３に供給する状態で固定され、ノズル３からはオゾン水のみが連続して噴霧される。
【００２０】
このオゾン水が連続して噴霧している状態では、上記オゾンガス発生部６１のみが作動し、他方のオゾンガス発生部６２は作動していない。その状態、すなわちオゾンガス発生部６１が単独で作動している状態で、連続殺菌スイッチ７２を再度押し操作すると、ＬＥＤランプ７２ａが点灯すると共に、上記オゾンガス発生部６２の作動が開始し、ノズル３から噴霧されるオゾン水のオゾン濃度が上昇する。なお、上記殺菌スイッチ７１が押し操作され、オゾン水による殺菌が開始すると、開始した時点から一定時間経過すると、オゾン水による殺菌は自動的に停止する。ただし、途中で殺菌を強制的に停止するために殺菌停止スイッチ７３が設けられている。そして、この殺菌停止スイッチ７３と同様の機能を備えたスイッチが、上記風呂リモコン１１にも設けられている。
【００２１】
上述のオゾン水による殺菌の動作を、図３のフロー図を参照して更に詳述する。上記殺菌スイッチ７１が押し操作されると、内部のタイマがカウントダウンを開始し（Ｓ１，Ｓ２）、切換弁４が切り換え動作を開始して、ノズル３から真水とオゾン水とが交互に噴霧される切替運転が開始される（Ｓ３）。
【００２２】
その状態で、上記連続殺菌スイッチ７２が押し操作されるか否かを監視し、タイマがカウントダウンを終了するまでに連続殺菌スイッチ７２が押し操作されなければ（Ｓ５）、切換弁４を操作して、ノズル３から真水のみを連続して噴霧させると共に（Ｓ６）、換気扇２を作動させて、浴室１内の空気を排気する（Ｓ７）。そして、一定時間真水の噴霧と換気を行った後、切換弁４を閉弁状態にすると共に、換気扇２を停止させ（Ｓ８）、待機状態に戻る。
【００２３】
上記タイマがカウントダウンを終了する前に上記連続殺菌スイッチ７２が押し操作されると、切換弁４を上述のように、オゾン水のみがノズル３に供給される状態に固定して連続運転を開始する（Ｓ９）。この状態では、上述のようにオゾンガス発生部６１のみが単独で作動しているが、タイマがカウントダウンを終了する前に連続殺菌スイッチ７２が再度押し操作されると、オゾンガス発生部６２の作動を開始して、ノズル３から噴霧されるオゾン水のオゾン濃度を増加させる（Ｓ１０，Ｓ１１）。そして、タイマがカウントダウンを終了すると、上述のＳ６に流れて、ノズル３から真水を連続して噴霧して浴室１内の内壁に残ったオゾン水を洗い流すと共に、浴室１内の空間に残留するオゾンガスを排気した後に待機状態に戻る（Ｓ１２，Ｓ６，Ｓ７，Ｓ８）。
【００２４】
以上のオゾン水による殺菌動作中に、常に上記殺菌停止スイッチ７３が押し操作されるかどうかを監視しており（Ｓ１３）、オゾン水による殺菌動作中に、殺菌停止スイッチ７３が押し操作されると、直ちにＳ６に進み、真水を噴霧し換気を行った後に待機状態に戻るように制御される。
【００２５】
ところで、上記ノズル３は噴霧したオゾン水を浴室１の天井面にも付着させるために、天井面から下方にある程度突出している必要がある。ただし、突出した状態のままであれば意匠上見栄えが悪い。そこで、例えば図４に示すように、真水やオゾン水の水圧が作用すると、バネ３４の上方への付勢力に抗してシリンダ３２内のピストン３１が下方に移動し、そのピストン３１の底部がベース３３から突出して、その突出した部分に設けたノズル口から真水やオゾン水を噴霧するように構成してもよい。
【００２６】
上記構成であれば、切換弁４が閉弁すると、シリンダ３２内の圧力が低下するので、バネ３４の付勢力によってピストン３１が押し上げられて、ピストン３１の下部がベース３３内に格納される。なお、ノズル口は、ピストン３１の下部に複数設けるが、下部の外周には壁面にオゾン水を到達させるために、比較的開口径の大きなノズル口を設け、底面には、浴室１内の空間にオゾン水が長時間漂うように霧状に噴霧できるよう、比較的開口径の小さなノズル口を設けることが望ましい。なお、１２は浴室１の天井である。
【００２７】
なお、本発明は上記した形態に限定されるものではなく、本発明の要旨を逸脱しない範囲内において種々の変更を加えてもかまわない。
【符号の説明】
【００２８】
１ 浴室
２ 換気扇
３ ノズル
４ 切換弁
５ 水道管
６ オゾン水生成装置
７ 台所リモコン
１１ 浴室リモコン
３１ ピストン
３２ シリンダ
６１ オゾンガス発生部
６２ オゾンガス発生部
６３ 気液混合部
７１ 殺菌スイッチ
７２ 連続殺菌スイッチ
７３ 殺菌停止スイッチ
【図１】
2020048858.tif 000003
【図２】
2020048858.tif 000004
【図３】
2020048858.tif 000005
【図４】
2020048858.tif 000006